(57)【要約】  本発明は、予備加工段階６７、６７′を取り入れた工具構成６８、６８′と、予備加工段階を有する工具構成を取り入れて、床パネル１、１′の改良型固定システムを製作する方法とに関する。特殊な工具構成と表面層の特性を変化させる予備加工段階とを用いて、床パネルの接合縁部のある一定の表面が型出しすると、その結果として公差が減じられる。本発明は更に、上側案内装置により水平方向に案内されると共に床パネルを垂直方向に下側チェーンの方へと押圧するように構成される、製作された床パネルの公差を同様に減少させる上側ベルト又はチェーンを有する装置に関する。
2013500879.tif 000002
【特許請求の範囲】
【請求項１】
床パネル（１′、１）に第１の工具構成（６８）を用いて製作する方法であって、
前記床パネル（１′、１）が、耐摩耗性上表面層（３１）と、心材（３０）と、自らと同様の他のパネルとを水平方向に固定するための第１（１）及び第２（１′）の縁部上の機械的固定システム（４３、４６、１１、１９；５３、５６、１２、１８）とを備え、
前記機械的固定システムが、パネルの前記第１の縁部（１）の第１対の固定面、および反対側の前記第２の縁部（１′）の第２対の固定面を有し、前記第１対の固定面が第１の上側縁部（１９）と固定要素（８）とを有し、前記第２対の固定面が第２の上側縁部（１８）と固定溝（１４）とを有しており、
前記方法は、
前記床パネルの第１の縁部（１）を第１の工具構成（６８）に相対させて前記床パネルを送り方向（ＦＤ）に移動させる段階であって、前記第１の工具構成（６８）は、２つの対向する柱側（８８、８９）を有する第１の柱（８０）の同じ側（８８）に配置される第１及び第２の工具本体（ＴＢ１、ＴＢ２）を含んでいる、段階と、
前記第１の上側縁部（１９）において前記床パネル（１）の前記耐摩耗性上表面層（３１ｂ）の少なくとも一部分を予備加工して、前記表面層の特性を変化させるようにする段階と、
前記第１（ＴＢ１）及び第２（ＴＢ２）の工具本体により、前記第１対の固定面（１９、８）の少なくとも一部分を成形する段階と、
を含む方法。
【請求項２】
前記床パネル（１′）の第２の縁部（１８）を第２の工具構成（６８′）に相対させて前記床パネル（１′）を送り方向（ＦＤ）に移動させる段階であって、前記第２の工具構成（６８′）は、２つの対向する柱側（８８、８９）を有する第２の柱（８８）の同じ側に配置される第１及び第２の工具本体（ＴＢ１、ＴＢ２）を含んでいる、段階と、
前記第２の工具構成（６８′）により前記第２対の固定面（１８、１４）の少なくとも一方の面の少なくとも一部分を成形する段階と、
を更に含む請求項１に記載の方法。
【請求項３】
前記第２対の固定面（１８、１４）の少なくとも一方の面の少なくとも一部分を成形する前に、前記第２の上側縁部（１８）において前記床パネル（１′）の前記耐摩耗性上表面層（３１ｂ）の少なくとも一部分を予備加工して、前記表面層の特性を変化させるようにする段階を更に含む、請求項２に記載の方法。
【請求項４】
前記工具構成（６８）は、第１の工具ディスク（９５）を有する前記第１の工具本体（ＴＢ１）と第２の工具ディスク（９６）を有する前記第２の工具本体（ＴＢ２）とを含む回転工具構成であり、前記第１及び第２の工具ディスクは１本の回転軸（８７）により駆動され、前記ディスクは互いに調節可能である、請求項１〜３のいずれか一項に記載の方法。
【請求項５】
前記第１の工具本体（ＴＢ１）は第１の工具ディスク（９５）を含み、前記第２の工具本体（ＴＢ２）は第２の工具ディスク（９６）を含み、前記第１の工具ディスク（８３）は第１の回転軸（８６）により、そして前記第２の工具ディスク（８４）は第２の回転軸（８７）により駆動され、前記第１（８６）及び第２（８７）の回転軸は前記柱（８０）の同じ側（８８）に取り付けられる、請求項１〜３のいずれか一項に記載の方法。
【請求項６】
前記工具構成（６８）は、少なくとも前記第１の工具ディスク（９５）表面を前記工具構成の垂直な工具角（ＴＡ１）に対して実質的に平行又は前記固定面（１１）の固定角（ＬＡ）に対して平行にするか、又は前記工具構成の前記垂直な工具角（ＴＡ１）と前記固定面（１１）の前記固定角（ＬＡ）との間の任意のある角度に対して実質的に平行にして加工を行なう、請求項４〜５のいずれか一項に記載の方法。
【請求項７】
前記工具構成（６８）は、第１の固定具を有する前記第１の工具本体（ＴＢ１）と第２の固定具を有する前記第２の工具本体（ＴＢ２）とを含むブローチ工具構成であり、前記固定具は、チップ（１０６）を有する少なくとも１つのホルダ（１０７）を有し、前記工具構成は、前記ホルダ（１０７）上においてある一定の角度及び位置に固定される削り取り面を有する前記少なくとも１つのチップにより前記固定面を成形する、請求項１〜３のいずれか一項に記載の方法。
【請求項８】
前記床パネル（１′、１）の前記上側縁部（１８、１９）において前記床パネルの前記耐摩耗性上表面層（３１ｂ）の少なくとも一部分を予備加工する段階は、前記耐摩耗性上表面層（３１）の前記上側縁部（１８、１９）の畝状部（７６）の一部分を除去する段階を含む、請求項１〜７の少なくとも１項に記載の方法。
【請求項９】
前記耐摩耗性上表面層（３１）の前記上側縁部（１８、１９）において前記畝状部（７６）の前記一部分を除去する段階は、前記上表面層の最終的な縁部に近接する位置（ＥＤ）且つ前記精密切削工具（６０）に近接する位置（ＴＤ）に配置される従来式荒削り工具（６７）を用いて行なわれる、請求項８に記載の方法。
【請求項１０】
前記床パネル（１′、１）の前記上側縁部（１８、１９）において前記床パネルの前記耐摩耗性上表面層（３１）の少なくとも一部分を予備加工する段階は、
前記耐摩耗性上表面層（３１）の前記上側縁部（１８、１９）の畝状部（７６）の一部分を除去する段階を含む中間予備加工段階と、
前記中間予備加工段階に先立つ第１の予備加工段階であって、前記第１の縁部（１）において前記床パネルの前記上表面層（３１）の少なくとも一部分を第１の予備加工工具（６０）により除去する段階を含む第１の予備加工段階と、である、請求項１〜９のいずれか一項に記載の方法。
【請求項１１】
前記床パネル（１′、１）の前記上側縁部（１８、１９）において前記床パネルの前記耐摩耗性上表面層（３１）の少なくとも一部分を予備加工する段階は、前記耐摩耗性上表面層（３１）の畝状部（７６）の一部分を潤滑及び／又は加熱による軟化（６７）により軟化させる段階を含む、請求項１〜７のいずれか一項に記載の方法。
【請求項１２】
前記潤滑（６７）は、ワックスによる潤滑を含む、請求項１１に記載の方法。
【請求項１３】
前記加熱（６７）は、レーザー又は赤外線電球又は熱風又は高温スライドシュー又はマイクロ波による加熱を含む、請求項１１に記載の方法。
【請求項１４】
前記耐摩耗性上表面層（３１）の除去対象の前記畝状部（７６）は、前記上表面層（３１）より薄い厚さを有する縁部部分である、請求項８〜１０のいずれか一項に記載の方法。
【請求項１５】
前記耐摩耗性上表面層（３１）は、積層板又は木質繊維混入板のものである、請求項１〜１４のいずれか一項に記載の方法。
【請求項１６】
床パネル（１′、１）に機械的固定システムを製作する工具構成であって、
前記床パネル（１′、１）が、耐摩耗性上表面層（３１）と、心材（３０）と、自身と同様のその他のパネルとを水平方向に固定するための第１（１）及び第２（１′）の縁部上の機械的固定システム（４３、４６、１１、１９；５３、５６、１２、１８）とを備え、
前記機械的固定システムが、パネルの前記第１の縁部（１）の第１対の固定面、および反対側の前記第２の縁部（１′）の第２対の固定面を有し、前記第１対の固定面が第１の上側縁部（１９）と固定要素（８）とを有し、前記第２対の固定面が第２の上側縁部（１８）と固定溝（１４）とを有しているものにおいて、
前記床パネル（１）は、自身の前記第１の縁部（１９）を第１の工具構成（６８）に相対させて送り方向（ＦＤ）に移動され、前記第１の工具構成（６８）は、
第１（ＴＢ１）及び第２（ＴＢ２）の工具本体を含むと共に、前記第１の工具構成（６８）は２つの対向する柱側（８８、８９）を有する第１の柱（８０）の同じ側８８に配置され、
前記第１の上側縁部（１９）において前記床パネル（１′、１）の前記耐摩耗性上表面層（３１ｂ）の少なくとも一部分を予備加工して、前記表面層の特性を変化させるようにする手段を含み、
前記第１（ＴＢ１）及び第２（ＴＢ２）の工具本体は、前記第１対の固定面（１９、８）の少なくとも一部分を成形する手段を含む
ことを特徴とする工具構成。
【請求項１７】
前記床パネル（１′）は、自身の前記第２の縁部（１８）を第２の工具構成（６８′）に相対させて送り方向（ＦＤ）に移動され、前記第２の工具構成（６８′）は、２つの対向する柱側（８８、８９）を有する第２の柱（８８）の同じ側に配置される第１及び第２の工具本体（ＴＢ１、ＴＢ２）を含み、
前記第２の工具構成（６８′）は、前記第２対の固定面（１８、１４）の少なくとも一方の少なくとも一部分を成形する手段を含む、
請求項１６に記載の工具構成。
【請求項１８】
前記第２対の固定面（１８、１４）の少なくとも一方の面の少なくとも一部分を成形する前に、前記第２の上側縁部（１８）において前記床パネル（１）の前記耐摩耗性上表面層（３１ｂ）の少なくとも一部分を予備加工して、前記表面層の特性を変化させるようにする手段を更に含む、
請求項１６〜１７のいずれか一項に記載の工具構成。
【請求項１９】
前記工具構成（６８）は、第１の工具ディスク（９５）を有する前記第１の工具本体（ＴＢ１）と第２の工具ディスク（９６）を有する前記第２の工具本体（ＴＢ２）と、前記第１及び第２の工具ディスクを１本の回転軸（８７）により駆動する手段と、ディスクを互いに調節する手段とを含む回転工具構成である、
請求項１６〜１８のいずれか一項に記載の工具構成。
【請求項２０】
前記工具構成（６８）は、第１の工具ディスク（９５）を有する前記第１の工具本体（ＴＢ１）と第２の工具ディスク（９６）を有する前記第２の工具本体（ＴＢ２）と、第１の回転軸（８７）により前記第１の工具ディスク（８３）を、そして前記柱（８０）の同じ側（８８）に取り付けられる第２の回転軸（８８）により前記第２の工具ディスク（８４）を駆動する手段とを含む、請求項１６〜１８のいずれか一項に記載の工具構成。
【請求項２１】
前記工具構成（６８）は、少なくとも前記第１の工具ディスク（９５）表面を前記工具構成の垂直な工具角に対して実質的に平行又は前記固定面（１１）の固定角（ＬＡ）に対して実質的に平行にするか、又は前記工具ディスク（９５）表面を前記回転工具構成の前記垂直な工具角と前記固定面（１１）の前記固定角（ＬＡ）との間の任意のある角度に対して実質的に平行にして加工を行なう手段を含む、請求項１９〜２０のいずれか一項に記載の工具構成。
【請求項２２】
前記工具構成（６８）は、第１の固定具を有する前記第１の工具本体（ＴＢ１）と第２の固定具を有する前記第２の工具本体（ＴＢ２）とを含むブローチ工具構成であり、前記固定具は、前記ホルダ（１０７）上においてある一定の角度及び位置に固定される削り取り面を含むチップ（１０６）を有する少なくとも１つのホルダ（１０７）を有し、型出し面は前記固定面を成形するようになされる、請求項１６〜１８のいずれか一項に記載の工具構成。
【請求項２３】
前記予備加工手段は、前記耐摩耗性上表面層（３１）の前記上側縁部（１８、１９）の畝状部（７６）の一部分を除去する手段を含む、請求項１６〜２２のいずれか一項に記載の工具構成。
【請求項２４】
前記畝状部（７６）の一部分を除去する手段は、前記表面層の最終的な縁部に近接する位置（ＥＤ）且つ前記精密切削工具（６０）に近接する位置（ＴＤ）に配置される従来式荒削り工具（６７）である、請求項２３に記載の工具構成。
【請求項２５】
前記予備加工手段は、
前記耐摩耗性上表面層（３１）の前記上側縁部（１８、１９）の畝状部（７６）の一部分を除去する手段を含む中間予備加工手段と、
前記中間予備加工手段の前に配置される第１の予備加工手段であって、
前記第１の縁部（１）において前記床パネルの前記表面層（３１）の少なくとも一部分を取り除く手段を含む第１の予備加工用工具（６０）を含む第１の予備加工手段と、である、
請求項１６〜２４のいずれか一項に記載の工具構成。
【請求項２６】
前記予備加工手段は、前記耐摩耗性上表面層（３１）の畝状部（７６）の一部分を潤滑により軟化させる手段及び／又は加熱により軟化させる手段（６７）を含む、請求項１６〜２２のいずれか一項に記載の工具構成。
【請求項２７】
前記軟化手段は、レーザー及び／又は赤外線電球及び／又は熱風ファン及び／又は高温スライドシュー及び／又はマイクロ波加熱炉及び／又はワックス装置を含む、請求項２６に記載の工具構成。
【請求項２８】
床パネル（１、１′）の対向する縁部（１８、１９）に機械的固定システムを製作する装置であって、
下側チェーン（７０）と、上側ベルト又はチェーン（７０ｂ）と、前記対向する縁部を成形する幾つかの工具構成（６０）とを含み、前記床パネル（１、１′）が、自身の表側化粧面（３１）を前記下側チェーンに接触させて、前記下側チェーン又は前記上側ベルト又はチェーンにより送り方向（ＦＤ）に移動され、前記下側チェーンは下側案内装置（７０ｃ）により垂直方向及び水平方向に案内されるものにおいて、
前記上側ベルト又はチェーンは、上側案内装置（７０ｂ）により水平方向に案内されると共に、前記床パネルを垂直方向に前記下側チェーンの方へと押圧するように構成され、前記案内装置（７０ｂ、７０ｃ）は、２つの工具構成間における直線的な送り方向からの水平方向の逸脱が前記上側ベルト又はチェーンにおいては前記下側チェーンの対応する逸脱と実質的に等しくなるか又はそれより小さくなるように構成されることを特徴とする装置。
【発明の詳細な説明】
【技術分野】
【０００１】
［技術分野］
本発明は一般に床パネルの機械的固定の分野に関する。特に、本発明は床パネルを機械的に固定する改良型固定システムを製作する工具構成であって、床パネルの上表面層を予備加工する手段を含む工具構成と、このような工具構成の使用方法とに関する。更に、本発明は、上ベルト又はチェーンを案内すると共に床パネルを２つの工具構成間において案内する案内装置を用いて、床パネルを機械的に固定する改良型固定システムを製作する装置に関する。
【０００２】
［利用分野］
本発明は特に、耐摩耗性上表面層を有する、機械的固定システムを縁部に備えた浮き床、例えば高圧積層板又はダイレクトラミネートの表面層を有する貼り合せ床、鉱物粒により被覆された床板、木質繊維混入板等に用いるのに適する。従って、以下に記載の従来技術と公知のシステムの問題と本発明の目的及び特徴とは、非限定的な例として、主にこうした利用分野を対象として、長尺縁部の機械的固定システムの型出しを意図するものである。しかし、本発明は、耐摩耗性の上表面層を有すると共に機械的固定システムを手段として接合されることが意図されるあらゆる床パネル又は壁パネルに利用可能であることを強調しておきたい。例えば従来式の板張り床又は壁パネルが耐摩耗性粒子を含む摩耗層により被覆されている場合は、本発明を利用することができる。本発明は、長尺及び／又は短尺縁部、矩形パネル及び４つ以上の縁部を有するパネルの成形に用いることができる。
【０００３】
［いくつかの用語の定義］
以下の本文では、設置された床パネルの見えている面を「表側」と呼び、床下地に面する床パネルの反対側を「裏側」と呼ぶ。「水平面」は、表側に平行な面に関連する。互いに接合された２枚の床パネルの２つの隣接する接合縁部の直接相接する上側部分は、水平面に対して垂直な「垂直面」を画成する。表側と裏側との間において床パネルの縁部に位置する床パネルの外側部分を「接合縁部」と呼ぶ。通例として、接合縁部は、垂直、水平、角形、丸形、面取り付き等である幾つかの「接合面」を有する。これらの接合面は、異なる材料、例えば積層板、ファイバーボード、木、プラスチック、金属（特にアルミ）又はシーリング材上にある。
【０００４】
「固定」又は「固定システム」は、床パネルを垂直方向及び／又は水平方向に相互接続する協働接続手段を意味する。「機械的固定システム」は、固定が接着剤を用いずに行なわれうることを意味する。機械的固定システムは、多くの場合、接着剤により接合されることもある。
【０００５】
「垂直固定」は、垂直面に対して平行に固定することを意味し、「水平固定」は、水平面に対して平行に固定することを意味する。
【０００６】
「垂直固定面」は、隣接する縁部を垂直方向に固定する隣接する第２の縁部の実溝（tongue groove, さね溝）の上側及び下側協働実溝面（さね溝面）と協働する第１の縁部の実（tongue, さね）の上側及び下側協働実面（さね面）を意味する。
【０００７】
「水平固定面」は、隣接する第１の縁部の本質的に垂直な上側実溝縁部及び固定溝と協働する第２の縁部の本質的に垂直な上側実溝縁部及び固定要素を意味し、これらの協働する水平固定面が隣接する縁部を水平に固定する。
【０００８】
「固定溝側」は、水平固定部の一部分が開口部を裏側に向けた固定溝によって構成される床パネル側を意味する。「固定要素側」は、水平固定部の一部分が固定溝と協働する固定要素によって構成される床パネル側を意味する。
【０００９】
「固定角」は、水平面に対する水平固定部の固定面の角度を意味する。固定面が湾曲している場合は、固定角は、その湾曲に対する、最大の角度を有する接線である。
【００１０】
「工具角」は、工具がその上で回転する平面の角度を意味する。
【００１１】
「表面化粧層」は、主に床に装飾的外観を与えることを意図された表面層を意味する。「耐摩耗性表面層」は、主に表側の耐久性を高めるようになされた高研摩性表面層に関連する。このことから、「耐摩耗性表面化粧層」は、床に装飾的外観を与えることと表側の耐久性を高めることとを意図された層であると結論付けられる。表面層は心材に施される。
【００１２】
「表面層の畝状部」は、接合縁部に隣接する床パネル部分上の表面層部分であって、接合縁部に沿って続く表面層部分に関連する。
【００１３】
［背景技術、従来技術及び課題］
本発明の理解及び説明と本発明の背景をなす問題の認識とを容易にするために、以下に、添付図面の図１〜６を参照して、床パネルの基本的な構造と機能との両方を説明する。この基本的な構造及び機能は、本発明においても全面的又は部分的に用いられる。
【００１４】
機械的固定システムは、垂直固定用の実及び実溝と、水平固定用の固定要素及び固定溝とを含む。機械的固定システムは、垂直固定用の２対と水平固定用の２対との少なくとも４対の有効協働固定面を有する。固定システムは幾つかのその他の面を含み、これらの面は一般に互いに接触せず、従って協働固定面よりかなり大きい公差を有して製作されうる。
【００１５】
貼り合せフローリングは通常、６〜９ｍｍのファイバーボードによって構成される心材と、０．２０ｍｍの厚さの上側表面層と下側平衡層とにより構成される。表面層は、床パネルに見栄えと耐久性とを与える。心材は安定性を与え、平衡層は、１年の間に相対湿度（ＲＨ）が変動してもボードを水平に保つ。
【００１６】
機械的固定システムは一般にボードの心材を機械加工することによって形成される。このような機械加工は、高品質を確保するために非常に厳密でなければならない。特に、協働垂直及び水平固定面を高い精度で成形して、容易な設置と隣接縁部間の厳密な嵌合とを確保することが重要である。
【００１７】
図１ａに、傾斜させて固定され、市場で広く用いられている、従来技術に従った機械的固定システム（ストリップロック）を示す。このような固定システムは、垂直方向又は水平方向のスナップ動作により固定されるようにも設計されうる。床パネルの縦断面図に、床パネル１′の長尺側４ａの一部分と隣接する床パネル１の長尺側４ｂの一部分とが示されている。床パネル１、１′の本体は、ファイバーボード本体又は心材３０によって構成され得、この本体がここでは自身の表側において耐摩耗性の表面化粧層３１を、そして自身の裏側（裏面）において平衡層３２を支持する。固定システムは、上側４３及び下側４６実溝面と協働する上側５３及び下側５６実面によりパネルを垂直方向Ｄ１に固定する実１０と実溝９とを有する。ストリップ６は、床パネルの本体と平衡層とによって形成され、固定要素側１の固定要素８を支持する。従って、ストリップ６と固定要素８とは、ある意味では、実溝４６の下側部分の延長部を構成する。ストリップ６上に形成される固定要素８は、隣接する床パネル１′の対向する固定溝側の固定溝１４の固定溝作用面１２と協働する固定要素作用面１１を有する。水平固定作用面１１、１２間の係合により、パネルが離れる方向に引っ張られる場合に、床パネル１、１′の接合縁部を横断する方向（方向Ｄ２）の水平固定が得られる。固定面１１、１２の固定角Ａは、この図示された実施形態では９０度であり、これが非常に強い水平固定をもたらす。固定システムは、例えば４５〜６０度のその他の固定角を有して形成されてもよい。一部の固定システムは、例えば３０度の非常に小さい固定角を有する。小さい固定角は、非常に小さい固定システムの製作と材料の節約とを可能にする。しかし、このようなシステムの固定強さは、非常に低い。固定要素側１の上側部分は第１の上側縁部１９を含み、固定溝側１′の上側部分は第２の上側縁部１８を含み、これらの縁部はパネルが互いに押し付けられる場合に水平移動を防ぐ。
【００１８】
図１ｂに、酸化アルミニウムの耐摩耗性粒子３６を有する透明な表張り３３と、表面に装飾性を与えるプリント３４を有する化粧紙層３５とによって構成される積層板表面層を示す。ほとんどの場合は木調であるプリントは、一般に、直線的且つ垂直な上側縁部を有する床パネルでは見えない白色素地層を有する。一部の床パネルは、塗料又は装飾テープにより覆われる装飾的面取り部３１ａを備える。表張り３１ｂの一部分を小さい面取り部として加工して、縁部をよりソフトにし、工具が鋭利でない場合に生じうる縁部のチッピングを除去しうることも公知である。こうした表張りの加工は、表面層と上側縁部の加工後に最終段階として研摩作業と同様の加工処理を用いて行なわれる。
【００１９】
固定システム（さねはぎ式ロック）は更にまた、図２ａに示すように、ストリップ６を有さずに形成されうる。固定要素８は、この実施形態では、実１０上に配置され、固定溝１４は、実溝９内においてアンダーカットとして形成される。
【００２０】
固定システムは更にまた、固定時に移動されることができる可撓性実１０ａを有して形成されうる（折込式ロック（ｆｏｌｄ  ｌｏｃｋ））。図２ｂに示されるような固定システムは、垂直移動Ｄ１により固定されうる。
【００２１】
固定システム（フック式ロック）は更にまた、水平方向Ｄ２にのみ固定するために、図２ｃに示すように実を有さずに形成されうる。このような固定システムは、幅狭の床パネルの短尺側に用いられる。垂直固定は隣接するパネルの長尺側により達成される。
【００２２】
パネルを水平方向に固定するために用いられるこれらの公知の全ての固定システムは、適正に作用するために厳密な態様で互いに合致しなければならない２対の協働面１８、１９及び１１、１２を有する。
【００２３】
図３ａ（側面図）及び３ｂ（平面図）に、固定システムを製作するために最もよく用いられる方法と、こうした製作に関連する主要な問題とを示す。固定システムは、床パネルの表面３１を下方に向けて形成される。床パネル１、１′がチェーン７０により水平方向に直線的な送り方向に移動する時に、幾つかの回転工具構成６０を用いて縁部が型出しされる。押圧ホイール７０ｂにより支持されるベルト７０ａを用いて、チェーンに対して垂直な圧力が創出される。ベルトは、送り方向に対して垂直な水平Ｄ２方向に安定性を有さない。床パネルの垂直Ｄ１及び水平位置Ｄ２は、回転工具構成に対して高精度で移動するチェーンによって得られる。床パネルの表面層は摩擦によりチェーンに固着される。
【００２４】
図４ａに、１本のチェーン７０を含む型出し装置を用いて製作される床パネルが示されており、押圧ホイール７０ｂにより支持される１本のベルト７０ａはチェーンに対して垂直方向の圧力を創出する。図４ｂは、完璧な機械加工により、理論的に略完全に平行をなす非常に精密な溝１４と固定要素８と上側縁部１８、１９とが形成されることを示す図である。製作公差は±０．０２ｍｍもの低さとなりうる。しかし、実際には、このような公差を達成することは非常に困難である。その理由は、チェーンと床面との間における摩擦が不十分であり、床パネルが製作時に送り方向に対して垂直な水平方向に移動又は転向する（以下では水平方向の転向と呼ぶ）ためである。特にベルトとチェーンとが平行でない場合は、ベルトとチェーンと更にまた使用される工具と圧力シュー（図示せず）とが床パネルに対して無制御の水平方向の側圧を創出し、固定システムの上記の部分が図４ｃに示すように完全に平行には形成されなくなる。パネルの１つの部分における床パネルの上側部分１８、１９と固定面１１、１２との間の距離Ｌ１、Ｌ２が、同じパネルの別の部分における対応する距離Ｌ３、Ｌ４より例えば０．１〜０．２ｍｍだけ小さくなりうる。 固定がきつくなりすぎるか又は緩くなりすぎる可能性がある。実１０及び実溝９も水平方向に変動しうる。しかし、固定システムは、実の先端と溝の内側部分との間に間隙を有して形成され、こうした間隙を用いて上記の製作公差が補償されるため、図１ａに示すような公差１０′、９′はいかなる問題も引き起こさない。
【００２５】
水平方向の転向に関連ある問題を解決するために、幾つかの方法が用いられてきた。最もよく用いられる方法は、チェーンの案内を向上させることにより型出し装置をより安定化させるものである。チェーンと床パネルとの間において高い摩擦を維持するためにクリーナ装置を用いチェーンも清浄化されている。水平方向の転向を防ぐために、パネルの裏側の特殊な溝と協働するスチールルーラー（ｓｔｅａｌ  ｒｕｌｅｒ）等の、図４ａに示すような特殊な案内装置ＧＤが用いられてきた。このようなルーラーと溝とは調節困難であり、製作時に摩耗と熱とを創出すると共に、平衡層が溝により分離されると安定性の問題を創出しうる。
【００２６】
しかし、型出し装置を改良するためにこうした努力を重ねても、問題は解決されなかった。逆に、水平方向の移動の問題は年を追って増加した。１つの理由は、生産速度が増加し、そのことがより強い側圧を創出するためである。より小さい寸法、深い表面エンボス加工及び光沢のある表面を有する床パネルが開発され、これがチェーンと床表面との摩擦を低下させると共に、無制御の水平方向の大幅な転向の危険性を高めている。
【００２７】
導入されたその他の方法も水平方向の転向を軽減するために工具設計と工具位置とを用いるという原理に基づくものである。これを図５及び６に示す。
【００２８】
図５ａ〜５ｅに、耐摩耗性上表面層を有する床パネルを製作する従来式の工具設置ソリューションを示す。床パネルは、縁部の型出し時に矢印の送り方向ＦＤに移動する。型出しラインの第１段階が図５ａに、そして最終段階が図５ｅに示されている。床パネル１、１′の断面は、図ではフライス盤の玉軸受チェーン７０上において上表面層３１を下にして配置されている。従来式の加工設備により、ボード１、１′は、複数の独立回転する切削工具構成を通って高精度で搬送される。切削工具は一般に約２００〜２５０ｍｍの工具直径を有し、ボードの水平面ＨＰに対して任意の工具角ＴＡに設定されうる。工具は幾つかの柱の両側に取り付けられる。図３ａ及び３ｂに示すように、工具間距離ＴＤは約０．５ｍであり、柱間距離ＣＤは約１ｍである。各工具６０〜６４、６０′〜６３′は、専ら接合縁部の限られた部分を除去するために用いられ、最終的な接合面を成形するものもある。幾つかの工具は、床パネル１、１′の送り方向ＦＤに型出しラインの両側に沿って配置される。このようにするのは、十分な製作公差を得るためである。通例として、工具の個数が増えると、各工具により除去される材料の量が少なくなると共に、各工具が創出する、床パネルを無制御の態様で移動させうる力が小さくなるため、製作公差の向上がもたらされる。通常の製作モードは、４〜６対の対向する工具を長尺側を切削加工する第１の機械において使用し、続いて同様の機械がパネル上に短尺側の固定システムを切削加工するというものである。
【００２９】
水平固定面１８、１９、１１、１２は、４つの独立した工具６２、６２′及び６３、６３′を用いて加工される。各側の第３（図５ｃ）及び第４（図５ｄ）の工具ステーション間における水平方向の転向は、図４ｃに示すように平行ではない水平固定面１８、１９、１１、１２を創出する。
【００３０】
従来、床パネルにおいて機械的固定システムを製作する場合は、図５ａに示すような荒削り工具６０、６０′又は図５ｃに示すような精密切削工具６２、６２′が、１つの独立した出し位置において床パネル１、１′の送り方向ＦＤの片側と反対側とに対向する対として配置される。対をなす工具の一方が固定要素側１を加工し、他方の工具は固定溝側１′を加工する。荒削り工具６０、６０′は耐摩耗性表面層の大部分の高研摩性材料を除去して、耐摩耗性表面層の切削も行なう工具６２、６２′を除く後続の工具の寿命と切削品質とを向上させる。工具の切れ刃はダイヤモンドによって構成されるが、たとえそうであっても、こうした工具の運転時間は限られており、高研摩性の上層を切削加工する場合は通常５０００〜２００００メートル以下である。このため、表面層を切削加工する工具、即ち図５ａに示すような荒削り工具６０、６０′及び図５ｃに示すような精密切削工具６２、６２′は、製作時に段階的に切れ刃に対して平行に移動Ｍさせて真新しい工具切れ刃を切削加工位置に配置することができる直線状の切れ刃を有して構成される。
【００３１】
このような水平工具角ＴＡでの水平回転と段階的な垂直方向の調節Ｍとが図６ａ〜６ｃに示されている。図６ａは、床パネル１の上表面層３１を成形する精密切削工具６２のチップ除去面７１の図である。ボードが耐摩耗性上表面層を有する場合には、精密切削工具は、ボードの心材、例えば高密度繊維板（ＨＤＦ）を切削加工する場合と比べてはるかに急速に摩り減ってしまう。その結果として、工具６２上において図６ｂに示すような切削面の摩損部分７２が生じて、これがパネルの上縁部分のいわゆるチッピング７３を引き起こし、即ち小さな欠けが生じ、縁部が粗くなると共にプリントの素地の小さい白色部分が見えてしまいかねない。図６ｃに、精密切削工具６２を垂直方向Ｍに１ミリメートルの十分の幾らかずつ小刻みに移動させて、工具６２の真新しい切れ刃部分７１が上表面３１に当接して正位置に配置されるようにする方法を示す。同様の原理が荒削り工具に用いられ、機械を運転しながら工具の段階的な移動を行なってライン運転時間の損失が防がれる。
【００３２】
図５ａの荒削り工具６０、６０′は一般に垂直面ＶＰから且つ最終的な上側縁部１８、１９から約０．５ｍｍの距離ＥＤを置いて配置される。後続の全ての工具は、精密切削工具６２、６２′を除いて、特にこれらの工具を段階的に移動させることはできないため、耐摩耗性表面層３１に切り込む危険性を回避すると共に、以って工具が急速に摩耗するのを防ぐために、いずれも自身の切歯が上側縁部の表面層に対して安全な距離に保たれるように設計される。
【００３３】
型出し機の内側における水平方向の転向は、大体において工具がパネルに対して無制御の側圧を創出することに関連する。このような側圧は、工具が異なる工具角、異なる回転数（送り方向又は送り方向とは逆の方向）で作用する場合又は異なる量の材料又は異なる組成の材料（心材、表面層）を除去する場合に生じうる。
【００３４】
幾つかの理由により第１及び最終の切削加工位置ではその他の工具位置と比べてボード１、１′は一般に不安定であり、水平方向の転向の危険性が高い。例えば、ボードは限られた長さにわたってチェーンとベルトとによって把持されるだけであり、入口／出口の装置がボードを軽く押しうる。
【００３５】
従って、協働水平固定面１１、１２、１８、１９の加工は、一般に中間の工具位置において互いに関連して配置される。これらの面は、図５ｃの精密切削工具６２、６２′と図５ｄの固定溝切削工具６３′と固定要素切削工具６３とによって成形される。図５ｃの精密切削工具６２、６２′は一般に常に、図５ｂに示す実及び実溝を成形する工具の後に配置される。これは、精密切削工具が材料の除去を開始する時点で材料の大部分がすでに前の工具６０、６０′、６１、６１′により除去されているため、大きな利点となる。精密切削工具６２、６２′は、非常に限られた量の心材材料と耐摩耗性表面層３１の最後の部分とを除去するだけでよい。このことは、切削力と床パネルに対する水平方向の圧力とを低下させることにより、厳密な加工公差を得ることを可能にする。
【００３６】
荒削り工具６０、６０′と精密切削工具６２、６２′とは、上述したように、常に両者間に幾つかの工具位置を挟んで分離される。このことが、荒削り工具６０、６０′と精密切削工具６２、６２′との間において実質的な無制御の水平方向の転向を引き起こし、こうした転向は約０．２ｍｍになりうる。従って、縁部の欠け、化粧紙の目に見える白線及び心材の露出等の品質問題を防ぐために、荒削り工具は最終表面縁部から一般に少なくとも０．５ｍｍの安全距離に配置されなければならない。
【００３７】
固定溝１４及び固定要素８の固定面は、固定角ＬＡと等しいか又はそれより大きい工具角ＴＡを有する回転工具構成６３、６３′を用いて成形される。固定角Ａを有する固定面を成形する回転工具構成は、固定角Ａより小さい工具角ＴＡで作用することができない。これは、固定システムの設計及び製作において考慮されなければならない重要な制約事項である。
【００３８】
図５ｂ及び５ｄの水平及び垂直固定用工具６１、６１′、６３、６３′はいずれも、同じ軸上に取り付けられる２つの互いに調節可能な工具本体ＴＢ１及びＴＢ２によって構成される回転工具構成の例である。このような工具を以下ではコンビ工具と呼ぶ。これらのコンビ工具は、相互間に固定相対距離を有する２つの対向する切削面によって構成される形状、例えば溝を成形する場合に必要とされる。工具を研ぐと、工具の材料の一部が除去され、対向縁部間の相対距離が変化する。従って、２つの本体は、過大な寸法に調節され、然る後に正しい相対寸法に研ぎ出されうる。これらのコンビ工具の好ましい効果は、同じ位置で同じ工具を用いて型出しするため、２つの工具本体によって成形される２つの型出し面間の精度が非常に正確になることである。このようなコンビ工具６１、６１′を用いて、図５ｂに示すような実の１対の垂直固定面間における公差を向上させることができる。しかし、コンビ工具は、１対の水平固定面の製作には用いられない。
【００３９】
１つの理由は、固定溝側の上側縁部が、図５ｃ及び５ｄに示すような固定溝内の固定面を成形する工具本体６３′の工具角とは異なる工具角を有する工具本体６２′を用いて成形されなければならないためである。コンビ工具の工具本体は、同じ軸に固定されるため、常に同じ工具角で作用する。また他の理由は、上側縁部を成形する一方の工具本体６２は水平に作用しなければならず、且つ段階的に垂直方向に調節可能でなければならないためである。このような調節は、固定要素の固定面を成形するために用いられるその他の工具本体ＴＢ１及びＴＢ２の位置も変化させるため、コンビ工具６３、６３′を段階的に垂直方向に調節することはできない。従って、２つの工具本体を同じ軸上に有するコンビ工具は、２つの大きな制約事項を有する。いずれの工具本体ＴＢ１、ＴＢ２も同じ工具角で作用しなければならず、また同時に同じ方向に移動させなければならない。
【００４０】
機械的固定システムを加工する際の主要な問題は、総製作費を別にすれば、十分な製作公差を得ること、即ち適正な形状の接合部を得ること及びそれを費用効果的な製作モードで行なうことである。従って、床パネルの製造において、水平固定公差を更に大幅に低い水準に、より費用効果的且つ容易な方法で減少させることが大いに望ましい。
【００４１】
［発明の概要及び目的］
本発明の主要な目的は、機械的固定システムの加工時、特に水平固定を達成するために用いられる機械的固定システム部分の加工時における床パネルの水平方向の転向（回転）に関連ある問題の解決策を提供することにある。
【００４２】
特定の目的は、床パネル、特に貼り合せフローリングと同様の耐摩耗性上表面層を有する床パネルの製作時における水平方向の転向を阻止又は解消すること及び／又はこのような水平方向の転向の悪影響を減少させることにある。
【００４３】
本発明の１つの例示的な実施形態のまた他の目的は、工具交換を少なくすることによって型出しラインのダウン時間を減少させて工具運転時間を増やすことにより製作費を低く保つことにある。
【００４４】
水平固定面を成形する工具を組み合わせて、２つの対向する柱側を有する１本の柱の同じ側の１つの工具構成にする製作方法を基本とする第１の原理により、目的が達成され、且つ問題が解決された。これにより、この工具構成では工具間における実質的に全ての水平方向の転向（回転）を解消することができる。しかし、この種の加工は、耐摩耗性表面層を成形する工具に多大な摩耗を生じしめ、製作中の段階的な調節によってこうした工具の寿命を延ばすことができない。このため、第１の上側縁部において床パネルの耐摩耗性上表面層の少なくとも一部分を予備加工して、表面層の特性を変化させるようにする予備加工段階が導入される。
【００４５】
問題は、少なくとも固定要素側の組合せ工具セットは、同じ工具軸を互いに個別に調節することができる少なくとも２つの工具本体を駆動する回転工具構成である第２の原理により解決された。このような回転工具構成は、実質的に垂直な工具角で、又は少なくとも固定面の固定角と等しいか又はそれより大きい工具角でのみ作用しうる。しかし、この種の加工は、耐摩耗性表面層を成形する工具に多大な摩耗を生じしめ、製作中の段階的な調節によってこうした工具の寿命を延ばすことができない。その代わりに、表面層の特性を変化させる予備加工段階が導入される。
【００４６】
従って、問題は、表面層の中間予備加工段階を行なった後に水平固定面を成形する第３の原理により解決された。材料を除去するか又は材料特性を変化させるこうした中間予備加工は、幾つかの方法を用いて、そして更には上表面層の最終的な縁部に非常に接近し、精密切削工具に近接する位置に配置される従来の荒削り工具を用いて行なうことができる。しかし、中間予備加工は、好ましくは、耐摩耗表面層の一部分として垂直面を超えて内方に形成される畝状部が除去されるように行なわれる。この特殊な種類の中間予備加工により、本質的に垂直方向に作用する回転工具構成の多大な摩耗を防ぐと共に、中間予備加工用工具と回転工具構成との間における水平方向の転向（回転）を防ぐことが可能になる。
【００４７】
これらの３つの全ての原理を個別に用いて、機械的固定システムの加工を向上させることができる。しかし、最良の結果は、これらの原理を組み合わせた場合に達成される。
【００４８】
本発明の第１の態様に従って、第１の縁部において第１の工具構成を用いて、床パネルの対向縁部において機械的固定システムを製作する方法を提供する。床パネルは、耐摩耗性上表面層と、心材と、当該パネルを同様の他のパネルと水平方向に固定するための第１及び第２の縁部上の機械的固定システムとを有する。機械的固定システムは、パネルの第１の縁部における第１対の固定面と、反対側の第２の縁部における第２対の固定面とを含む。第１対の固定面は、第１の上側縁部と固定要素とを含む。第２対の固定面は、第２の上側縁部と固定溝とを含む。床パネルは、自身の第１の縁部を第１の工具構成に相対させて送り方向に移動させられる。第１の工具構成は、２つの対向する柱側を有する１本の柱の同じ側に配置される第１及び第２の工具本体を含む。この方法は、
・第１の上側縁部において床パネルの耐摩耗性上表面層の少なくとも一部分を予備加工して、表面層の特性を変化させるようにする段階と、
・第１及び第２の工具本体により、第１対の固定面の少なくとも一部分を成形する段階と、を含む。
【００４９】
この方法は、２つの工具本体を１本の柱の同じ側に有する工具構成を用いるため、固定溝側における公差の本質的な向上をもたらす。固定溝側又は溝側の対状固定面の少なくとも一方も同時にパネルの反対側の同じ種類の工具によって成形される場合は、更なる向上が達成されうる。
【００５０】
従って、第１の態様の例示的な実施形態は、第１の工具構成を第１の縁部に、そして第２の工具構成を第２の反対側縁部に用いて、床パネルの対向する縁部に機械的固定システムを製作する方法を提供するものである。床パネルは、耐摩耗性上表面層と、心材と、パネルを同様のその他のパネルと水平方向に固定するための第１及び第２の縁部上の機械的固定システムとを有する。機械的固定システムは、第１の縁部における第１対の固定面と反対側の第２の縁部における第２対の固定面とを含む。第１対の固定面は、第１の上側縁部と固定要素とを含む。第２対の固定面は、第２の上側縁部と固定溝とを含む。床パネルは、自身の第１の縁部を第１の工具構成に相対させ、そして自身の第２の縁部を第２の工具構成に相対させて送り方向に移動させられる。第１及び第２の工具構成は、各柱が２つの対向する柱側を有する１本の柱の同じ側で床パネルに係合する第１及び第２の両工具本体を含む。この方法は、
・第２の工具構成により第２対の固定面の少なくとも一方の面の少なくとも一部分を成形する段階を含む。この段階を、この成形段階に先立って行なわれる下記の段階と組み合わせることもできる：
・第２の上側縁部において床パネルの耐摩耗性上表面層の少なくとも一部分を予備加工して、表面層の特性を変化させるようにする段階。
【００５１】
第１及び第２の工具構成は、好ましくは、送り方向に対して横切る方向に互いに本質的に対向して配置されることとする。工具構成は、好ましくは、チェーンの同じ側の柱間の平均距離より大きく送り方向に沿って移動（変位）しないこととする。ただし、最良の結果は、工具構成が送り方向に対して垂直に互いに完全に対向して配置される場合に得られ、これは第１及び第２の縁部の固定面の成形が同時に開始し且つ終了することを意味する。
【００５２】
この第１の態様は、２つの理由によって、製作時における床パネルの転向が協働水平固定面間の相対距離を変化させることはないという利点をもたらす。第１に、これらの固定面は、１本の柱の同じ側において送り方向に互いに接近して又は好ましくは同じ位置に配置される第１及び第２の工具本体により成形され、これによって工具本体間における転向は解消される。第２に、第１及び第２の工具構成も送り方向に対して横切る方向に本質的に互いに対向して配置され、これによって工具構成間における転向が解消される。中間予備加工段階であると共に第１の工具構成及び／又は第２の工具構成に近接して行なわれる第２の予備加工段階は、回転工具構成を相当な寿命で使用することを可能にする。
【００５３】
第２の予備加工用工具と回転工具構成との間における水平方向の転向は０．０５ｍｍ以下もの微小となり、これにより、第２の予備加工用工具を用いて、例えば第１の予備加工用工具の後に残る０．５ｍｍの表面を除去すればよくなるため、いかなる品質問題も生じることなしにほぼ全ての耐摩耗層を除去することが可能になる。こうした工具により垂直面の内側の表張りの一部分を除去することもできる。
【００５４】
第１の態様の例示的な実施形態によれば、この方法は更にまた、
・中間段階において耐摩耗性上表面層の畝状部の一部分を除去する段階を含む。
【００５５】
このような予備加工は、回転工具構成の寿命を大幅に延ばす。寿命は、従来の製作方法を用いる従来の工具の場合より本質的に長くなりうる。
【００５６】
畝状部は、従来の回転工具、又は工具本体上において送り方向に沿って配置される幾つかの歯を含む非回転掻き取り工具構成を用いることにより除去されうる。
【００５７】
水平方向の転向に関連ある製作公差は、１本の柱の片側において互いに可能な限り接近して互いに上下又は前後に並んで配置される工具本体を用いて第１及び／又は第２対の水平面が成形される場合にも減じることができる。工具本体は、２つの回転工具構成又は２つの掻き取り工具構成、或いは１つの回転工具構成と１つの掻き取り工具構成とを含むことができる。
【００５８】
本発明の第２の態様によれば、床パネルに機械的固定システムを製作する工具構成が用いられる。床パネルは、耐摩耗性表面層と、心材と、床パネルを同様のその他のパネルと水平方向に固定するための第１及び第２の縁部上の機械的固定システムとを有する。更に、機械固定システムは、パネルの第１の縁部における第１対の固定面と、反対側の第２の縁部における第２対の固定面とを含み、第１対の固定面は第１の上側縁部と固定要素とを含み、第２対の固定面は第２の上側縁部と固定溝とを含む。工具構成は第１の工具構成６８を含み、この第１の工具構成は第１及び第２の工具本体を含む。第１の工具構成は、２つの対向する柱側を有する１本の柱の同じ側に配置される。この工具構成は、第１の上側縁部において床パネルの耐摩耗性上表面層の少なくとも一部分を予備加工して、表面層の特性を変化させるようにする手段を含む。第１及び第２の工具本体は、第１対の固定面の少なくとも一部分を成形する手段を含む。水平方向の転向は、本質的に下側チェーンが本質的に床パネルの垂直方向の案内のためだけに用いられる製作方法及び装置によっても阻止されうる。水平方向の案内は、公知の方法とは対照的に、上側ベルト又はチェーンによって達成される。
【００５９】
本発明の第３の態様に従って、床パネルの対向する縁部に機械的固定システムを製作する装置であって、下側チェーンと上側ベルト又はチェーンと対向する縁部を成形する幾つかの工具構成とを含む装置を提供する。床パネルは、下側チェーン又は上側ベルト又はチェーンにより、自身の表側化粧面を下側チェーンに接触させて送り方向に移動させられる。下側チェーンは、下側案内装置により垂直方向及び水平方向に案内される。上側ベルト又はチェーンは、上側案内装置により水平方向に案内されると共に、床パネルを垂直方向に下側チェーンの方へと押圧するように構成される。案内装置は、２つの工具構成間における直線的な送り方向からの水平方向の転向が、上側ベルト又はチェーンにおいて下側チェーンの対応する転向と本質的に等しいか又はそれより小さくなるように構成される。
【００６０】
水平方向の案内が本質的に上側チェーン又はベルトによって得られる製作装置により、いくつかの利点が達成されうる。ベルト又はチェーンと接触する床パネルの裏側は、高摩擦を創出しうる表面を有して形成されうる。ベルト又は上側チェーンも高摩擦面を有しうる。このような表面は、裏側に多少のエンボシングを施されても、床パネルの品質にいかなる悪影響も及ぼすことなしに創出されうる。上側ベルト又はチェーンと床パネルとの間の非常に強い結合が、下側チェーンと接触する化粧面側の表面構造とは無関係に得られうる。この装置は更にまた、いかなる追加の案内溝も必要とされず、且つパネル又は固定システムの大きさが変更されても案内部品を別々に調節する必要がないという利点も提供する。
【００６１】
第１、第２及び第３の態様を単独で又は組み合わせて用いて、製作時における床パネルの水平方向の転向を阻止又は解消することができる。
【図面の簡単な説明】
【００６２】
【図１ａ】従来技術において公知の機械的固定システムを示す床パネルの断面図及び表面層の拡大図である。
【図１ｂ】従来技術において公知の機械的固定システムを示す床パネルの断面図及び表面層の拡大図である。
【図２ａ】従来技術において公知の様々な種類の機械的固定システムを示す図である。
【図２ｂ】従来技術において公知の様々な種類の機械的固定システムを示す図である。
【図２ｃ】従来技術において公知の様々な種類の機械的固定システムを示す図である。
【図３ａ】従来技術において公知の、耐摩耗性上表面層を有する床パネルを製作する従来式型出しラインの側面図及び上面図である。
【図３ｂ】従来技術において公知の、耐摩耗性上表面層を有する床パネルを製作する従来式型出しラインの側面図及び上面図である。
【図４ａ】従来技術において公知の床パネルの短尺側と従来式型出し装置との側断面図と、加工後の床パネルの全体上面図及び短尺側の側面図とである。
【図４ｂ】従来技術において公知の床パネルの短尺側と従来式型出し装置との側断面図と、加工後の床パネルの全体上面図及び短尺側の側面図とである。
【図４ｃ】従来技術において公知の床パネルの短尺側と従来式型出し装置との側断面図と、加工後の床パネルの全体上面図及び短尺側の側面図とである。
【図５ａ】従来技術において公知の、床パネルに機械的固定システムを製作する製造段階を示す図である。
【図５ｂ】従来技術において公知の、床パネルに機械的固定システムを製作する製造段階を示す図である。
【図５ｃ】従来技術において公知の、床パネルに機械的固定システムを製作する製造段階を示す図である。
【図５ｄ】従来技術において公知の、床パネルに機械的固定システムを製作する製造段階を示す図である。
【図５ｅ】従来技術において公知の、床パネルに機械的固定システムを製作する製造段階を示す図である。
【図６ａ】従来技術において公知の、工具の運転時間を延ばすための段階的な移動を示す、貼り合せ層を切削する工具の断面図である。
【図６ｂ】従来技術において公知の、工具の運転時間を延ばすための段階的な移動を示す、貼り合せ層を切削する工具の断面図である。
【図６ｃ】従来技術において公知の、工具の運転時間を延ばすための段階的な移動を示す、貼り合せ層を切削する工具の断面図である。
【図７ａ】本発明による、床パネルを機械的に固定する改良型固定システムを製作する方法の例示的な実施形態を取り入れた製造段階を示す断面図である。
【図７ｂ】本発明による、床パネルを機械的に固定する改良型固定システムを製作する方法の例示的な実施形態を取り入れた製造段階を示す断面図である。
【図７ｃ】本発明による、床パネルを機械的に固定する改良型固定システムを製作する方法の例示的な実施形態を取り入れた製造段階を示す断面図である。
【図８ａ】本発明による、図７ａ〜７ｃに示す工具設置ソリューションの例示的な実施形態の側面図及び上面図を示す、様々な型出しラインの部分の側面図及び上面図である。
【図８ｂ】本発明による、図７ａ〜７ｃに示す工具設置ソリューションの例示的な実施形態の側面図及び上面図を示す、様々な型出しラインの部分の側面図及び上面図である。
【図８ｃ】本発明による、図７ａ〜７ｃに示す工具設置ソリューションの例示的な実施形態の側面図及び上面図を示す、様々な型出しラインの部分の側面図及び上面図である。
【図９ａ】本発明による予備加工段階の例示的な実施形態の断面図である。
【図９ｂ】本発明による予備加工段階の例示的な実施形態の断面図である。
【図９ｃ】本発明による予備加工段階の例示的な実施形態の断面図である。
【図９ｄ】本発明による予備加工段階の例示的な実施形態の断面図である。
【図１０ａ】本発明による、床パネルを機械的に固定する改良型固定システムを製作する方法の例示的な実施形態を取り入れた製造段階を示す断面図である。
【図１０ｂ】本発明による、床パネルを機械的に固定する改良型固定システムを製作する方法の例示的な実施形態を取り入れた製造段階を示す断面図である。
【図１０ｃ】本発明による、床パネルを機械的に固定する改良型固定システムを製作する方法の例示的な実施形態を取り入れた製造段階を示す断面図である。
【図１０ｄ】本発明による、床パネルを機械的に固定する改良型固定システムを製作する方法の例示的な実施形態を取り入れた製造段階を示す断面図である。
【図１０ｅ】本発明による、床パネルを機械的に固定する改良型固定システムを製作する方法の例示的な実施形態を取り入れた製造段階を示す断面図である。
【図１１ａ】本発明に従って改良された製造段階の例示的な実施形態により製作される床パネルの全体を示す側面図及び上面図である。
【図１１ｂ】本発明に従って改良された製造段階の例示的な実施形態により製作される床パネルの全体を示す側面図及び上面図である。
【図１１ｃ】本発明に従って改良された製造段階の例示的な実施形態により製作される床パネルの全体を示す側面図及び上面図である。
【図１２ａ】本発明によるコンビ工具設置ソリューションの背景をなすメカニズムを説明する床パネルの溝側の側断面図及びコンビ工具設置ソリューションの旋回方向を説明する側断面図である。
【図１２ｂ】本発明によるコンビ工具設置ソリューションの背景をなすメカニズムを説明する床パネルの溝側の側断面図及びコンビ工具設置ソリューションの旋回方向を説明する側断面図である。
【図１２ｃ】本発明によるコンビ工具設置ソリューションの背景をなすメカニズムを説明する床パネルの溝側の側断面図及びコンビ工具設置ソリューションの旋回方向を説明する側断面図である。
【図１２ｄ】本発明によるコンビ工具設置ソリューションの背景をなすメカニズムを説明する床パネルの溝側の側断面図及びコンビ工具設置ソリューションの旋回方向を説明する側断面図である。
【図１２ｅ】本発明によるコンビ工具設置ソリューションの背景をなすメカニズムを説明する床パネルの溝側の側断面図及びコンビ工具設置ソリューションの旋回方向を説明する側断面図である。
【図１３ａ】本発明による予備加工段階を取り入れた工具設置ソリューションの例示的な実施形態の側面図及び上面図である。
【図１３ｂ】本発明による予備加工段階を取り入れた工具設置ソリューションの例示的な実施形態の側面図及び上面図である。
【図１４ａ】本発明による工具設置ソリューションの例示的な実施形態の側断面図である。
【図１４ｂ】本発明による工具設置ソリューションの例示的な実施形態の側断面図である。
【図１４ｃ】本発明による工具設置ソリューションの例示的な実施形態の側断面図である。
【図１４ｄ】本発明による工具設置ソリューションの例示的な実施形態の側断面図である。
【図１５ａ】本発明による予備加工段階の例示的な実施形態の側断面図である。
【図１５ｂ】本発明による予備加工段階の例示的な実施形態の側断面図である。
【図１５ｃ】本発明による予備加工段階の例示的な実施形態の側断面図である。
【図１６ａ】本発明による工具設置ソリューションの例示的な実施形態により製作可能になる様々な設計の機械的固定システムの側断面図である。
【図１６ｂ】本発明による工具設置ソリューションの例示的な実施形態により製作可能になる様々な設計の機械的固定システムの側断面図である。
【図１６ｃ】本発明による工具設置ソリューションの例示的な実施形態により製作可能になる様々な設計の機械的固定システムの側断面図である。
【図１６ｄ】本発明による工具設置ソリューションの例示的な実施形態により製作可能になる様々な設計の機械的固定システムの側断面図である。
【図１７ａ】本発明による、床パネルを機械的に固定する改良型固定システムを製作する方法の例示的な実施形態を取り入れた製造段階を示す断面図である。
【図１７ｂ】本発明による、床パネルを機械的に固定する改良型固定システムを製作する方法の例示的な実施形態を取り入れた製造段階を示す断面図である。
【図１７ｃ】本発明による、床パネルを機械的に固定する改良型固定システムを製作する方法の例示的な実施形態を取り入れた製造段階を示す断面図である。
【図１７ｄ】本発明による、床パネルを機械的に固定する改良型固定システムを製作する方法の例示的な実施形態を取り入れた製造段階を示す断面図である。
【図１７ｅ】本発明による、床パネルを機械的に固定する改良型固定システムを製作する方法の例示的な実施形態を取り入れた製造段階を示す断面図である。
【図１８ａ】本発明による、コンビ工具に代わる選択肢の工具設置ソリューションであって、予備加工段階を取り入れた工具設置ソリューションの例示的な実施形態を示す側面図である。
【図１８ｂ】本発明による、コンビ工具に代わる選択肢の工具設置ソリューションであって、予備加工段階を取り入れた工具設置ソリューションの例示的な実施形態を示す側面図である。
【図１９ａ】本発明によるコンビ工具とその切削面の断面図である。
【図１９ｂ】本発明によるコンビ工具とその切削面の断面図である。
【図１９ｃ】本発明によるコンビ工具とその切削面の断面図である。
【図２０ａ】本発明によるコンビ工具と位置変更方法との例示的な実施形態を示す断面図である。
【図２０ｂ】本発明によるコンビ工具と位置変更方法との例示的な実施形態を示す断面図である。
【図２０ｃ】本発明によるコンビ工具と位置変更方法との例示的な実施形態を示す断面図である。
【図２０ｄ】本発明によるコンビ工具と位置変更方法との例示的な実施形態を示す断面図である。
【図２０ｅ】本発明によるコンビ工具と位置変更方法との例示的な実施形態を示す断面図である。
【図２０ｆ】本発明によるコンビ工具と位置変更方法との例示的な実施形態を示す断面図である。
【図２１ａ】床パネルの短尺側と、床パネルの対向する縁部に改良型機械的固定システムを製作する装置の例示的な実施形態とを示す側断面図である。
【図２１ｂ】床パネルの短尺側と、床パネルの対向する縁部に改良型機械的固定システムを製作する装置の例示的な実施形態とを示す側断面図である。
【図２２ａ】床パネルの短尺側と、床パネルの対向する縁部に機械的固定システムを製作する装置の例示的な実施形態とを示す側断面図である。
【図２２ｂ】床パネルの短尺側と、床パネルの対向する縁部に機械的固定システムを製作する装置の例示的な実施形態とを示す側断面図である。
【図２３ａ】本発明による、コンビ工具に代わる掻き取り工具構成の例示的な実施形態を示す図である。
【図２３ｂ】本発明による、コンビ工具に代わる掻き取り工具構成の例示的な実施形態を示す図である。
【００６３】
［実施形態の詳細な説明］
図７ａ〜７ｃは、本発明による、床パネルに改良型機械的固定システムを製作する工具設置ソリューションの例示的な実施形態を示す型出しラインの図である。固定要素側１の水平固定面は、第１段階において、図７ａに示す垂直面ＶＰに隣接する心材と表面との大部分を除去する予備切削装置６０により予備加工される。従来の型出しでは、予備切削装置６０を垂直面ＶＰから約０．５ｍｍの距離ＥＤを置いて配置するのが普通である。図７ｂに、本発明の型出しラインに組み込むことができる例示的な実施形態に従った中間予備加工段階の工具設置ソリューションが示されており、この中間予備加工段階において、図７ａに示す第１の予備加工段階の後に残った少なくとも大部分の耐摩耗性表面層が除去される。このような成形は、非常に精密であると共に、非常に少量の材料を除去するため、非常に小さい力で行うことができ、この中間予備加工用工具構成は、固定面を成形する次の工具に非常に接近して配置されうる。工具の維持管理のために、予備切削工具６０、６０′及び中間予備加工用工具構成６７は、切れ刃に対して平行な方向Ｍに段階的に移動させることができ、このことが工具の寿命を大幅に延ばす。図７ｃは、本発明の型出しラインに組み込むことができる例示的な実施形態に従った成形段階の工具設置ソリューションである。固定要素側１の水平固定面は、回転工具構成、即ち２つの工具本体を含むコンビ工具（COMBI tool）を用いて成形される。この工具設置ソリューション６８において、第１の工具本体ＴＢ１は床パネル１の第１の上側縁部１９を成形し、第２の工具本体ＴＢ２は固定要素８を成形する。これにより、固定面の中間位置が、製作時におけるパネルの水平方向の回転（転向）とは無関係に、常に適正であることが約束される。コンビ工具は、この実施形態では、床面に対して９０度の工具角ＴＡを有すると共に、９０度の固定角ＬＡを有する固定要素側１の固定面を成形する（図２０ａ〜２０ｃも参照）。このコンビ工具を段階的に移動させることはできない。しかし、中間予備加工段階の後に最終的に残った非常に小さい表面層部分のみを除去することになるため、第１の工具本体ＴＢ１の寿命は、従来の工具設置ソリューションの場合と同程度の長さか、又はそれより大幅に長くなりうる。
【００６４】
図７ｃは、同じ柱に互いに垂直方向に上下に並んで配置される第１ＴＢ１及び第２ＴＢ２の工具本体を有する工具構成６８′を、固定溝側１′の水平固定面を成形するために好適に用いることができることを示している。この場合は、精密切削工具ＴＢ１を段階的に垂直方向に移動させることができるため、中間予備加工段階は不要である。しかし、中間予備加工段階を用いて、精密切削工具ＴＢ１、例えば図７ｂにおいて固定要素側１として示したものと同じ精密切削工具の寿命を更に延ばすことが有利である。
【００６５】
図８ａ〜８ｃは、本発明に従って床パネルに改良型機械的固定システムを製作するための工具設置ソリューションの例示的な実施形態を示す型出しラインの図７ａ〜７ｃとは異なる図である。図８ａは、固定要素側１の側面図である。中間予備加工用工具構成６７が第１の柱８１に、そしてコンビ工具６８が第２の柱８０の隣接する側に配置される。その結果として、工具は互いに非常に接近し、水平方向の転向（回転）が限定的又は皆無となる。一方の軸中心から他方の軸中心までの測定値である工具距離ＴＤを最も大きい工具の直径より小さくして、水平方向の転向の制限において最良の結果を得ることができる。これは、現在使用されている従来式工具の場合に２４０ｍｍ未満の距離ＴＤに相当し、これに対して現在の型出し機で一般に用いられている距離ＴＤは４００〜５００ｍｍである。工具を互いに垂直方向に部分的に重複させると、工具距離ＴＤを更に一段と小さくすることができる。図８ｂは、固定溝側１′の側面図である。上側縁部と固定溝の固定面とを成形する第１ＴＢ１及び第２ＴＢ２の工具本体が示されている。工具本体は、互いに垂直方向に上下に並んで配置される。その結果として、図１１ａ〜ｃに示すように、水平方向の転向が発生しても、対をなす水平固定面間の相対距離が変化することはない。図８ｃは、型出しラインの上面図であって、３本の柱８０、８０′、８１且つ３つの柱側に配置される４つの回転工具構成を用いて高品質の水平固定面を成形し得ることを示している。協働水平固定面１１及び１９と１２及び１８とを成形する２つの工具構成６８、６８′が互いに対向してチェーンの各側において送り方向に対して垂直な線ＬＰに沿って本質的に整合して配置されると有利である。協働固定面の成形は、このような工具構成においては、同時に開始し且つ終了して、協働水平面の相対位置に対する水平方向の転向の影響が完全に解消されうる。
【００６６】
図９ａ〜９ｄに、本発明による予備加工段階と中間予備加工段階との例示的な実施形態を示す。図９ａにおいて、１つの実施形態として、熱は表面層の特性を変化させ、例えば耐摩耗性上表面層を軟化させるように影響を及ぼす。高研摩性粒子、例えば酸化アルミニウムが母材に十分に固着されていない場合は、耐摩耗性上表面層の昇温により上表面層の耐摩耗性は低下する。型出し機において１つの工具ステーションに集められる接合面の最終的な型出しの直前又は更には型出し機において型出しラインが始まる前に、熱を例えばＩＲ（赤外放射）により導入することができる。また他の実施形態として、レーザーは、効率的であるだけでなく精密切削工具に極めて近接して表面層に到達しうるため、同じく加熱手段として用いることができる。加熱は、レーザー、赤外線電球又は熱風を用いる以外に、高温スライドシュー、マイクロ波及びその他の公知の加熱技術又はこれらを組み合わせた方法等の、当業者が認識しているその他の方法を用いて行うことができる。更にまた、切削ではなしに加熱のためだけにレーザーを用いることにより、非常に正確な摩耗の低下が約束され、以って精密切削工具の寿命が延びる。本発明によるさらに別の予備加工段階のさらに他の例示的な実施形態は、床パネルの上表面層の少なくとも複数部分に潤滑剤、例えばワックスを添加することである。これもまた表面層の特性を変化させる。加熱又は潤滑は、本質的に耐摩耗性上表面層の畝状部の一部分において行なわれる。図９ｂに、本発明によるまた別の予備加工段階の更に他の例示的な実施形態を示す。耐摩耗性上表面化粧層３１の一部分が掻き取り工具を用いて除去され、その結果として、表面層の特性が完全に変化する。図９ｃに、本質的に図１ｂにも示される垂直面ＶＰに配置される予備加工用工具構成６７を用いた予備加工段階を示す。図９ｄには、垂直面ＶＰの内側の耐摩耗層の一部分を除去すると共に表面層３１上に畝状部７６を形成させるように配置される予備加工用工具構成６７を示す。
【００６７】
図１０ａ〜１０ｅは、本発明に従って、型出しラインに中間予備加工段階を取り入れた、対向する両縁部において床パネルに改良型機械的固定システムを製作する工具設置ソリューションの例示的な実施形態を示す型出しラインである。床パネルにおける機械的固定システムの型出し精度の向上が固定要素側と固定溝側との両方において得られると共に、その型出しに用いられる工具の長寿命化が達成される。図１０ａ〜１０ｂは、図５ａ〜５ｂに対応しており、よって改めて説明は行わない。図１０ｃは、中間予備加工が中間予備加工用工具構成６７、６７′を用いて固定要素側１と固定溝側１′とにおいて行なわれる工具設置ソリューションを示す図である。図１０ｄは、固定要素側１のコンビ工具６８と固定溝側１′の第１ＴＢ１及び第２ＴＢ２の工具本体を有する工具構成とを示す図である。例えば固定面と固定溝の一部分とが第２の工具本体ＴＢ２により成形されて、除去される材料の量が最小限に抑えられる。これにより工具の寿命が延びる。この第２の工具本体ＴＢ２は、同じ柱側に且つ回転する第１の工具本体ＴＢ１の上に配置されうる幾分単純な掻き取り工具として設計されてもよい。厳密な公差が必要とされない固定溝の残りの部分は、図１０ｅに示すようなまた他の工具６３′により成形することができる。
【００６８】
本発明の例示的な実施形態に従った予備加工段階と主に垂直面上で作用するコンビ工具とを用いる工具設置ソリューションは、並外れた工具寿命をもたらしうる。従来技術の精密切削工具は、予備加工を用いない場合は、工具を段階的に移動させることが必要になるまでの動作距離が大体１００００〜２００００メートルであるが、工具構成６８、６８′は、工具の砥ぎ直しが必要になるまでに５０００００メートルを超える動作距離にわたって動作させることができる。これは、見返りとして、型出しラインの工具交換のためのダウン時間において実質的な利益をもたらすと共に、新しい工具の再装着時に作業員が間違いを犯す危険性に対しても顕著な効果をもたらす。垂直面の切込み加工では、工具寿命よりももっと有益な効果がある。水平面上で作用する従来の精密切削工具は、図１の垂直方向の接触面１８、１９にうねりを創出する。これは、例えば先行技術文献である国際公開ＷＯ２００６／１１７２２９Ａ１又は欧州特許出願公開ＥＰ１８５１０２０Ａ１に記載されている公知の現象である。上述の精密切削工具は、歯の切れ刃が完全に図１の接触面１８、１９に対して平行な垂直面に沿って移動し、以って切削時のうねりが起こり得ないため、この問題が解消される。この技術は、例えば代替のレーザー技術よりはるかに費用対効果が高い。
【００６９】
図１１ａは、本発明による上記の製作方法であり、たとえ実質的な水平方向の転向（回転）が起きたとしても、互いに同じ相対水平距離Ｌ１、Ｌ２、Ｌ３及びＬ４に配置される水平固定面を、対向する側部において床パネルの全長にわたって形成させることが可能になることを示す図である。例えば０．２ｍｍの転向が実１０と実溝９とに生じたとして、既に説明したように、これが固定品質に影響を及ぼすことはない。水平方向の転向は、上側縁部が短尺縁部５ａ、５ｂに対して完全に垂直にはならないように、上側縁部の形状を変化させる。この逸脱は、短尺縁部が成形されると消滅する。なぜなら上側縁部は一般に短尺縁部の型出しに用いられるプッシャのベースとして用いられるためである。この種の公差は、水平方向の転向が湾曲した形状の水平固定面をもたらす場合でさえ、中間距離Ｌが同じである限り、容易に解消し得る。一部の公差は短尺縁部の加工時に解消される。例えば０．１ｍｍの残存公差はバナナ形の形状をもたらすが、この形状は、固定要素と固定溝とが自動的に床パネルを互いに押し付けて直線状にする丸形の案内面を有して形成されるため、設置時に容易に自動的に真っ直ぐにされうる。当然ながらパネルを互いに軽く押し付けることもできる。たとえ完璧な加工が行なわれる場合でも、全てのパネルは若干バナナ形の形状を呈する。図１１ｃは、本発明の例示的な実施形態に従った図１０ｄに示す工具設置ソリューションを、実のストリップとストリップの外側部分とが例えば第３の工具本体ＴＢ３によるか、又はコンビ工具６８の歯６８ａの一部分により成形されるように設計することができることを示している。このような加工は、水平方向の転向が垂直固定手段に及ぼす効果も必要に応じて解消する。この工具構成を用いて、厳密に嵌合する隣接面を有する固定システムを成形することができ、製作公差を補償するための隙間は不要になる。これにより、しっかり固定される防湿性の固定システムを形成させることが可能になる。
【００７０】
図１２ａ〜１２ｅに、図７ｃ、８ａ又は１０ｄに示すコンビ工具設置ソリューション６８の背景をなすメカニズムを説明する切削力の方向を示す。従来技術の精密切削工具は、図１２ａに示す方向Ｐｙ、Ｐｘ及びＰｙに切削力を向ける。外方に向く力は裏側に支持体を有さない脆性の表面層に対する応力を創出するため、Ｐｙの力は上述のマイクロチッピングを創出する明らかな危険要因である。図１２ｂに、本発明による成形段階の工具設置ソリューションの例示的な実施形態が示されており、精密切削工具６８のディスク９６は主に垂直面上で作用すると共にボードの送り方向に回転し、即ち作用する歯がボードと同じ方向である送り方向ＦＤに移動する。このため、表面層のマイクロチッピングを創出する力ＰｘもＰｙも生じない。従って、工具６８は、表面層においてＰｙの力が存在する場合に必要とされるほど鋭利でなくてよい。もし工具６８を反対方向に動作させると、その結果として有意なＰｙの力が創出され、その結果として工具の動作速度と寿命とが大幅に低下する。
【００７１】
図１２ｂの特定の工具設置ソリューション６８の寿命を延長させる第２のメカニズムは、図１２ｃの精密切削工具の工具本体９６の工具チップ９２の摩耗特性である。工具６８の外側チップ部分Ｃｃは、最初に高研摩性表面層に当たって材料を除去する部分である。Ｃｃの手前に配置されるまた別の部分の切れ刃Ｄｄは、心材３０のみに切り込む。しかし、工具の先端Ｃｃは、摩り減ってしまうと図１の縁部１８、１９から若干離間し、以って代わりに先端Ｃｃの真新しい切れ刃部分が高研摩性表面層に切り込む。この部分が摩り減ってしまうと、更に新たな真新しい切れ刃部分が切り込み、工具は舌先から次第に摩り減っていって、最終的にチップは部分Ｅｅまで摩損する。よって、工具の寿命を最大限に延ばす１つの方法は、工具チップ部分ＣｃからＥｅまでの距離を増加させることである。工具を手動で段階的に移動させる必要がある従来の精密切削工具と比べると、工具により垂直面上で作業を行なうこの動作モードでは、一旦切れ刃が摩り減ってしまうと、自動的に真新しい切れ刃が高研摩性材料内へと配置される。
【００７２】
回転工具構成６８′の旋回方向は、固定溝側１において図１２ｂのコンビ工具６８と同じ原理を用いる場合は、固定要素側１′では送り方向ＦＤとは逆向きであることとする。この回転方向により、切削力を表面層において確実に内方に心材の方へと向けることができ、このことは上記のように非常に重要である。２つの例示的な実施形態が図１２ｄ及び１２ｅに示されており、水平固定における固定角を大きくするためには工具角を大きくする必要があることがわかる。図１２ｅの固定システムのように突出する実が無い場合は、この方法を水平固定において９０度の固定角で用いることも可能である。
【００７３】
図１２ｂの回転式精密切削部分９６が完全に垂直面上で動作せずに若干角度を有する場合は、これによって精密切削工具の工具摩耗メカニズムが変化する。このことは、見返りとして、ある一定の材料、例えば工具の鋭利さに極めて敏感である非常に脆弱な表面における工具の寿命に好ましい影響を及ぼしうる。傾斜のない純粋な垂直面上で回転する場合は、図１２ｃのＣｃとＥｅとの間において舌先の外側の最も鋭利な部分が高研摩性表面層を除去する。１つの工具歯の動きが図１２ｄの上面図に示されており、工具が新しい場合は、表面層の全ての除去は位置Ａにおいて行なわれる。チップの真新しい切れ刃部分は、位置ＡとＣとの間において既に切削加工された表面層縁部畝状部に沿って摺動する。工具が摩耗すると、点Ａが点Ｂに近づく方向に移動していき、工具が摩り減ってしまった時点で、上述したように、最終的にこの点で終わる。工具が切削を開始する最初の点は、工具が摩耗しても依然として点Ａである。材料が摩耗した切れ刃に敏感な（影響を受けやすい）場合は、たとえ次に到来する歯の真新しい切れ刃部分がこの縁部部分の一部を除去するとしても、ある程度のマイクロチッピングが引き起こされうる。図１２ｅに、工具の角度による表面層畝状部における歯の動きを示す。工具の歯は、ボードにおいて工具線ＴＬに従って図１２ｅの点Ａから点Ｂまで次第にボードの内方に移動していくため、歯は角度をなして図１２ｃの工具切れ刃部分Ｃｃから部分Ｅｅまで切れ刃全体に沿って切削する。点ＢからＣまでは、歯はもはやボードと接触を持たない。
【００７４】
図１２ｂの回転式精密切削工具９６が掻き取り工具構成に置き換えられると共に、例えば回転式工具構成９５又は掻き取り工具構成と組み合わされる場合は、掻き取り工具構成９６は好ましくは傾斜角をなして作用して、力を内方に心材内に向かって導くこととする。
【００７５】
回転式工具が例えば実側において上から作用する場合は、力をＰｙの方向に導くために、旋回方向を送り方向とは逆向きにすることが必要である。
【００７６】
図１３ａ〜１３ｂに、本発明による、予備加工段階を導入した型出しラインの例示的な実施形態の側面図及び上面図を示す。
【００７７】
図１３ａ〜１３ｂに、固定要素側又は固定溝側のいずれかにおいて隣接する縁部を水平方向に固定する協働面の少なくとも一部分を成形する第２の工具Ａａを有する工具設置ソリューション６８を示す。この例示的な工具設置ソリューション６８は、柱８０の一方の側８９に設けられるが、柱８０の他方の側８８において、即ち第１の工具Ｂｂと共に作用する。一例として、この工具設置ソリューションは、第１の回転工具構成と第２の掻き取り工具構成とを含むか、又は回転工具構成が掻き取り工具構成、レーザー、小型エンドミル又は材料を除去することができる何らかのその他の工具であってもよい。予備加工段階により摩耗が大幅に減じられるため、１つの工具本体により両方の協働面を型出しすることさえ可能である。当業者が認識するように、それでもなおその工具本体の１つの部分において段階的な移動を実施することが好ましく、その理由は、たとえ摩耗が予備加工段階により減じられても、ほとんどの場合はその精密切削工具部分が高研摩性表面層の小部分を切削し、よって心材のみを型出しする残りの工具設置ソリューション部分より急速に摩り減ってしまいうるためである。２本の柱が互いに接近している場合は、第２の工具Ａａも、例えば第２の柱８１に取り付けられるが、柱８０の同じ側８８において作用しうる。
【００７８】
固定要素側と固定溝側とにおいて若干異なる工具設置ソリューションを用いてもよいが、それらはいずれも、本発明の例示的な実施形態に従って型出し機において隣接する縁部を水平方向に固定する協働面の少なくとも一部分を加工するという共通の加工原理に基づく。好ましくは、予備加工の原理も取り入れられる。当業者が認識するように、本発明の実施形態に従った予備加工の原理は、耐摩耗性上表面層を有さない床パネルの製作にも用いることができ、予備加工された表面に工具設置ソリューションを作用させることによって工具設置ソリューションの寿命を延ばす。
【００７９】
図１４ａ〜１４ｄに、本発明による工具構成の例示的な実施形態を示す。図１４ａには、固定溝側１′の縁部の上側部分１８を成形する工具６８′は、表面層に対して９０度の工具角で垂直方向に作用することが示されている。機能は、コンビ工具６８において固定要素側１の縁部１９の上側部分に作用する第１の工具本体ＴＢ１の場合と同じである。図１４ｂに、固定溝側１′の工具構成６８′の第２の工具本体ＴＢ２は９０度未満の工具角ＴＡで作用しうることが示されている。この場合は、工具角ＴＡは固定角ＬＡに等しい（図２０ａ及び２０ｄも参照）。コンビ工具６８は、この実施形態では、同じ工具角を有する。図１４ｃ及び１４ｄに、同じ軸上に配置される第１及び第２の工具本体ＴＢ１、ＴＢ２を有するコンビ工具６８′を用いて、固定溝側１′において水平固定面１２、１８を成形しうることが示されている。工具角ＴＡは、固定溝内の固定面１２の固定角ＬＡと実１０の形状とに適合せしめられなければならない。実の突出部分が限られている場合は、最大８０度以上の固定面を成形することができる。図１４ｄから、実を有さない固定システムと更にまた図２ｂに示すような固定システムとがいずれも９０度の工具角で成形されうることが示されている。この固定システムは、切削力を内方に心材の方へと向けることによって耐摩耗性表面層のチッピングを防ぐために、好ましくは送り方向とは逆向きに回転する工具構成を用いて成形されることとする。
【００８０】
図１５ａ〜１５ｃに、本発明による、回転工具構成を用いた耐摩耗性表面層３１の、図９ｄのような予備加工段階の例示的な実施形態を示す。図１５ａに、最終的な接合縁部１９から安全距離ＥＤ、例えば０．５ｍｍに配置された荒削り工具６０が示されており、ＥＤが荒削り工具６０と精密切削工具６２との間における床パネル１の水平方向の移動よって小さくなり、以って最終的な床パネルにおいて白色化粧紙に小さな面取り部が露出しても、その結果として白線が生じることが防がれる。予備加工用工具６１は、精密切削工具６２と一緒に配置されるため、接合縁部１９に接近して配置することができ、その結果として予備加工用工具６１と精密切削工具６２との間における水平方向の移動は実質的に皆無となる。これは、型出しラインの入口に配置される荒削り工具６０とは対照的に、これらの２つの工具が好ましくは機械の安定した中間部に配置されるためである。更に、これらの工具は非常に小さい距離を置いて分離され、いずれの工具も非常に限られた量の材料を除去して、非常に限られた側圧を創出する。
【００８１】
予備加工用工具６１は、好ましくは、精密切削工具６２に対して、これらの工具の最終的な結果が表張り３５に残る小さな面取り部７６となるが、これらの工具の最終的な結果が白線を創出する化粧紙３５の面取り部となるほど深くはならないように配置される。以下で微小面取り部と呼ばれるこの面取り部は、滑らかな感触の縁部の畝状部を創出し、そうでない場合に貼り合せ床（ラミネート床）が非常に鋭い縁部を有してしまうという共通の問題を解消する。鋭い縁部は、手に切り傷を負いかねない設置業者にとって、そして床の上を歩くときに靴下を損傷してしまうことがある顧客にとっても問題である。
【００８２】
微小面取り部は更にまた、精密切削工具６２の寿命を最大限に延ばす。しかし、例えば微小面取り部が目立ちかねない暗色の装飾においては、希望に応じて微小面取り部７６を防ぐために予備加工用工具６１を若干外方に離して配置することができ、それでもなお精密切削工具の許容可能な寿命が得られることを強調しておくこととする。予備加工用工具６１を最終的な接合縁部１９から約０．１ｍｍ外側に配置することにより、精密切削工具が除去しなければならない耐摩耗性表面材料の量は、０．５ｍｍの耐摩耗性材料を残存させる荒削り工具のみを用いる場合と比べて大幅に減じられる。
【００８３】
図１６ａ〜１６ｄに、本発明による工具設置ソリューションにより製作されうる機械的固定システムの設計を示す。図１６ａ及び図１６ｃには、実及び実溝側において完全に補完的な表面を有する従来技術による機械的固定システムが示されている。しかし、このようなシステムは、製作不能であることが実証された。上側接触面が多くの場合に小さすぎて、ボードがボードを互いに押し付ける力を受けたときに上側接触面に損傷を生じうる。これは、汚物及び水分を固定システム内に侵入させる隙間の創出を招きうる。更にまた、上部化粧面の隆起を引き起こすこともあり、床の固定が不十分になってしまう。上表面は、例えば７ｍｍ以下の非常に薄いボードの場合又は面取り部を有するボードの場合、又は、図１６ｂ及び図１６ｄに示すような大きい接着剤ポケット７９や例えば密封装置が設けられる産業用間隙７９を作る必要がある場合小さくなる。この問題の解決策は、固定用形状部のまた他の場所により大きい接触部、例えば固定用ストリップ上に突出部を設けて、これを実の下側において凹部に設けられる補完的な面と嵌合させることにより、ボードを互いに押し付ける力を吸収することである。突出部の内側下方接触面と実の補完的な面との間に間隙を設けて製作公差を吸収して、この接触がボードの上側接触面を分離させないことを確実にする。しかし、固定溝側において凹部と上側接触面との両方を型出しする工具と固定要素側における二重エンジン設備とを組み合わせて、以って同じ位置で全ての重要な水平面を型出しすることが解決策となる。これにより、完璧な嵌合が得られ、内方に向けられる力の大部分が凹部で吸収されて、以って上側接触面が保護される。実際には、製作時に型出しラインの工具設置ソリューション間における床パネル１、１′間の垂直方向及び水平方向のいずれの移動も吸収するために、図１６ｂ及び図１６ｄの産業用間隙７９が機械的固定システムに挿入された。例えば、図１６ｄの間隙７９を排除し、従来の工具設置ソリューションを用いると、１８、１９及び４６、４６を切削加工する工具間において多少の移動が生じ、このため、面４６が面５６を押出すと上側接触面１８、１９間において隙間が創出されると共に目に見える隙間が生じる。隙間があれば押圧はなくなる。
【００８４】
本発明を用いると、両方の面１９及び４６又は１８及び５６を１つ又は２つの工具を用いて同じ型出し位置で製作することが可能になる。従って、これにより、これらの面の相対位置における公差が解消され、押出しが起こらない傾向が生じる。このため、図１６ｂ及び１６ｄの間隙７９を排除することが可能となる。これにより、ボードが互いに押し付けられるときに水平方向の力に対して接合部において付加的な強度が生じる。例えばＭＤＦ等の軟質の心材の場合又は上側垂直接触面が例えば深い面取り部により縮小される場合又は大きな間隙が実の上に必要とされる場合に、この間隙なしという特徴を用いることが極めて有利となりうる。
【００８５】
図１７ａ〜１７ｅに、１つの接触面４３、５３が内方に向けられた力に対する垂直固定面だけではなしに水平固定面も構成する、本発明による固定システム用工具設置ソリューションの例示的な実施形態を示す。当業者が認識するように、ここでは１つの接触面のみが示されているが、１つを超える接触面がある場合でも、記載の原理は当然ながら等しく重要である。
【００８６】
図１７ａに、工具が耐摩耗性材料の大部分を除去している様子を示す。
【００８７】
図１７ｂに、工具が心材の大部分を除去して、後続の工具により除去される材料の量を減少させている様子を示す。
【００８８】
図１７ｃに、図１７ｄにおいて精密切削工具が除去することになる残存耐摩耗性材料の大部分を除去する予備加工用工具設置ソリューションを示す。図１７ｃの予備加工用工具設置ソリューションは、図１７ｄの精密切削工具に近接して配置されると共に、型出しラインにおいて精密切削工具に近接する中間部に配置される。
【００８９】
図１７ｄは、溝側用の工具設置ソリューションの２つの選択肢を示す。選択肢１（Ａｌｔ．１）は、回転式工具構成を示し、この設備では面４３は図１７ｅに示す次の段階で型出しされなければならない。図１７ｅは、図１７ｄの工具設置ソリューションから離間して配置される工具設置ソリューションであり、特に床パネルが送りチェーン上において必ずしも十分に把持されない外側位置にあるため、床パネルの水平方向の移動が起こる。この移動は水平方向の嵌合の変動を生じしめる。嵌合が緩くなりすぎると、設置後にきしみ音が生じる可能性があり、嵌合がきつくなりすぎると、設置がより困難になる。
【００９０】
選択肢２（Ａｌｔ．２）は、回転工具構成６８と組み合わされる掻き取り工具６８″を有するものである。この設備を図１７ｄにおいて用いると、全ての垂直面及び水平面が同じ位置で型出しされる。これは本発明が促進する重要な原理であり、この原理は、垂直固定面と水平固定面との両方を構成する面を有する固定システムの場合に極めて有利である。当業者が認識するように、その他の例示的な機械的固定システム、例えば図１のような従来式ストリップ固定システムも適用可能であり、下側の垂直固定面４６、５６が排除されると共に、傾斜した固定面１１、１２が垂直及び水平の両方向の固定面となる。
【００９１】
図１８ａ〜１８ｂは、本発明による予備加工段階を取り入れたコンビ工具に代わる選択肢の例示的な実施形態を示す型出しラインである。２つのエンジン８３、８４により、一方の工具８４は上から切り込み、他方の工具８３は下から切り込む。これらの工具は機械の同じ柱８０に且つ柱８０の同じ側８８に配置されるため、コンビ工具６８を用いた場合と同じ効果が得られる。このため、工具の角度は固定面の角度により制限される。工具８３及び８４は、柱８０上において若干離間して配置されうると共に、いずれもボードの同じ側から例えば溝側１において作用して、工具８３が工具８４より大きく且つこのエンジンが角度を有する場合は固定要素上に傾斜した固定面が得られる。以前は、耐摩耗性表面層に切り込む工具は水平面上で動作することを強いられたため、その他の工具が実溝に侵入することを妨げ、こうしたことは不可能であった。これらの工具のいずれか一方又は両方を掻き取り工具構成に交換することができ、そうすると、全種類の形状、例えば固定要素上の９０度の固定面を型出しすることが可能になる。型出し精度にとって非常に重要なのは、各工具本体による加工点は互いに接近していなければならないということである。これは、幾つかの非常に小さい回転式工具を使用して、以って小さい工具直径により互いに接近可能にすること、即ち１本の柱上において柱の同じ側に取り付けられる大きい工具を用いる場合と技術的に同等にすることによっても達成することができる。幾つかの小型の工具を用いる場合は、材料の大部分を除去する１つ又は複数の大型回転工具を用いると共に、前後に並んで取り付けられる１組の非常に小型のモータを用いて真に最後の材料を除去して最終的な固定面を創出することが好ましい。これらのモータは、例えば各工具軸ＴＤ間に４０ｍｍ以下の距離を置いて配置することができる。
【００９２】
図１９ａ〜１９ｃに、本発明による、下から切り込む工具構成の例示的な実施形態の精密切削工具チップ９３、９４を示す。上表面層が非常に硬質の粒子又は大粒の粒子によって構成される場合は、工具チップが非常に大きい応力を受けうるため、特に例えば工具チップ９４が図１９ｂに示すように９０度の角を有する場合には角が破損する。工具チップが９０度より鋭利である可能性もある。工具チップの刃が破損すると、鈍くなった初期切れ刃（initial cutting edge）が創出され、この切れ刃が床板の最終的な縁部に係合しうる。これは、見返りとして、チッピングを創出しうる。
【００９３】
この問題の解決策は、チップ９３を図１９ａのようなくさび形にすることである。これにより、初期係合位置が最終的な縁部部分ではなくなり、その代わりに工具の回転につれて徐々に内方に移動していく。角欠けが起こった場合でも、フランジの残りの部分は依然として鋭利なままであり、フランジの係合点が回転時に内方に移動していくため、チッピングは削り取られて、鋭利な最終的な刃部分が得られる。
【００９４】
図２０ａ〜２０ｆに、本発明によるコンビ工具６８の例示的な実施形態とその位置を変更するとを示す。コンビ工具６８は、軸、即ち自身の軸のまわりで回転して切削することにより作用する。コンビ工具の軸を異なる角度に傾けることにより、機械的固定システムの異なる切削面角度を創出することができる。軸の位置は、上表面層３１に対して実質的に平行になる位置と回転ディスクの表面が固定面１１の固定角ＬＡ１−ＬＡ２と等しくなるように配置される位置との間において変動させることができる。これは、切歯を調節して異なる工具角で固定面を型出しすることができることを意味する。９０度の垂直な固定角と６０度の固定角との２つの異なる例が図２０ａ及び２０ｄに示されている。図２０ｃ及び２０ｆには、回転ディスク面の対応する工具角ＴＡを調節して、これらの固定面を型出しする方法が示されている。固定要素側の工具設置ソリューションは、固定システムの形状によって若干変動しうる。
【００９５】
図２１ａ及び２１ｂは、本発明による、下側チェーン７０と上側ベルト又はチェーン７０ａと対向する縁部を成形する幾つかの工具構成とを含む、床パネルの対向する縁部に機械的固定システムを製作する装置の例示的な実施形態である。床パネル１は、自身の表側化粧面を下側チェーンに接触させて、下側チェーン７０又は上側ベルト又はチェーン７０ａにより送り方向に移動させられる。下側チェーンは、下側案内装置７０ｃにより垂直方向及び水平方向に案内される。上側ベルト又はチェーンは、上側案内装置７０ｂにより水平方向に案内されると共に、床パネルを垂直方向に下側チェーンの方へと押圧するように構成される。案内装置７０ｃ及び７０ｂは、２つの工具構成間における直線的な送り方向からの水平方向の逸脱が本質的に上側ベルト又はチェーンにおいては下側チェーンの対応する逸脱と等しいか又はそれより小さくなるように構成される。図２１ａは、１つ又は複数の上側ベルト７０ａにより送り方向に沿って主に直線的な水平方向に案内される床パネル１を示す。図２１ｂは、同じ案内が上側チェーン７０ａによって行い得ることを示している。
【００９６】
図２２ａは、一方の上側ベルト７０ａのみが水平案内装置７０ｂを有する実施形態を示す。他方のベルト７０ａ′は従来式のベルトである。図２２ｂは、下側チェーン又はベルト７０ｄと協働する上側チェーン７０ａ又はベルトを従来式チェーン／ベルト装置間に設けて加工時にパネルを水平方向に案内し得ることを示している。
【００９７】
水平方向の案内が実質的に上側チェーン又はベルトによって得られる製造装置の場合に、幾つかの利点が達成されうる。ベルト又はチェーンと接触する床パネルの裏側は、高摩擦を創出しうる表面を有して形成することができる。ベルト又は上側チェーンも高摩擦面を有することができる。このような表面は、裏側に多少のエンボシングを施されても、床パネルの品質にいかなる悪影響も及ぼすことなしに創出することができる。下側チェーンと接触する化粧側の表面構造とは無関係に、上側ベルト又はチェーンと床パネルとの間の非常に強い接続を得ることができる。この装置は更にまた、いかなる追加の案内溝も必要とされず、且つパネル又は固定システムの大きさが変更されても案内部品を別々に調節する必要がないという利点を提供する。床板の厚さの相違は、例えば可撓性チェーンプレートを有する上側チェーンにより補償することができる。チェーン又はベルト全体を垂直方向に取外し可能にすることもできる。
【００９８】
図２３ａに、本発明による工具構成６８の例示的な実施形態を示す。ここでは、この工具構成は、複数のまた他の削り取り部分の各々と固定システムが形成される床パネルの縁部とに対してある特定の位置において送り方向ＦＤに沿って配置される複数の削り取り部分１０６ａ〜ｄを含む掻き取り装置機構６８の例示的な実施形態である。この掻き取り工具構成６８は、固定歯を有し、各歯１０５ａ〜ｄは、以下ではチップ１０６と呼びホルダ１０７ａ〜ｄ上に取り付けられる削り取り部分１０６ａ〜ｄ、例えば切削面を含む。一般的な歯１０５は、例えばねじ１０３を用いて固定具に固定される。好ましくは、例えば２〜８個以上の複数の歯、即ちチップホルダ１０７が同じ固定具１００に固定されうる。歯を固定する例示的な方法は、固定具１００上のバー１０２上に各歯を配置することによる。各固定具１００は、固定具１００全体を型出しラインに固定するために用いられるねじ穴１０１を有する。チップホルダ１０７ａ〜ｄ上の各チップ１０６ａ〜ｄは、固定具１００上において、連続する各チップ１０６が水平方向もしくは垂直方向又は水平方向と垂直方向との両方向に異なる位置を有するように配置される。この掻き取り工具構成を用いると、粉塵及び削屑は、例えば各チップにおける単純な集塵ノズルにより容易に処理される。
【００９９】
同じ大きさを有する異なるチップホルダ１０５ａ〜ｄを固定具１００に取り付ける方法を示す。チップ１０６ａ〜ｄは、これにより、チップ線を辿る。本発明によるまた他の例示的な実施形態は、歯を垂直方向及び／又は水平方向に偏倚させるものである。第１の歯１０５ａは、例えば第２の「長め」の歯１０５ｂより「短め」の寸法を有するといった具合にすることができる。このようにすると、第１の歯１０５ａは、除去対象の材料に当たる程度の「短さ」で材料の表面に切り込み、第２の歯１０５ｂは次にチップ１０６ｂから更に離れた次の材料層を除去しなければならず、よって「長め」であることが必要になる。このようにすると、固定具１００上のチップは、横から見ると、「最短」の第１の歯１０５ａを始点とすると共に「最長」の最後尾１０５ｄを終点とする漸増スロープを有することになる。
【０１００】
図２３ｂに、本発明に従って製作公差を解消する方法の例示的な実施形態を示す。ここには、一例として掻き取り工具構成６８が示されている。即ち、掻き取り工具構成は送り方向の２つの対向する工具ステーションだけではなしに上側工具本体ＴＢ１に加えて下側工具本体ＴＢ２をも有すると共に、これらの工具本体が互いに近接する位置で作用して同じ段階で協働固定面１９、１１；１２、１８を加工し、公差が減じられるため、公差を解消しうる。どのような固定システムを製作するかによって、チップの形状が成形され、固定具上に歯をどのように配置するかは、材料の型出しを上から行なうか下から行なうかによる。
【０１０１】
当業者には、添付の特許請求の範囲に記載する本発明の範囲から逸脱することなしに、本発明に様々な改変及び変更を加えうることが理解されよう。
【図１ａ−１ｂ】
2013500879.tif 000003
【図２ａ−２ｃ】
2013500879.tif 000004
【図３ａ−３ｂ】
2013500879.tif 000005
【図４ａ−４ｃ】
2013500879.tif 000006
【図５ａ−５ｅ】
2013500879.tif 000007
【図６ａ−６ｃ】
2013500879.tif 000008
【図７ａ−７ｃ】
2013500879.tif 000009
【図８ａ】
2013500879.tif 000010
【図８ｂ】
2013500879.tif 000011
【図８ｃ】
2013500879.tif 000012
【図９ａ】
2013500879.tif 000013
【図９ｂ】
2013500879.tif 000014
【図９ｃ】
2013500879.tif 000015
【図９ｄ】
2013500879.tif 000016
【図１０ａ−１０ｅ】
2013500879.tif 000017
【図１１ａ】
2013500879.tif 000018
【図１１ｂ】
2013500879.tif 000019
【図１１ｃ】
2013500879.tif 000020
【図１２ａ】
2013500879.tif 000021
【図１２ｂ】
2013500879.tif 000022
【図１２ｃ】
2013500879.tif 000023
【図１２ｄ】
2013500879.tif 000024
【図１２ｅ】
2013500879.tif 000025
【図１３ａ】
2013500879.tif 000026
【図１３ｂ】
2013500879.tif 000027
【図１４ａ】
2013500879.tif 000028
【図１４ｂ】
2013500879.tif 000029
【図１４ｃ】
2013500879.tif 000030
【図１４ｄ】
2013500879.tif 000031
【図１５ａ】
2013500879.tif 000032
【図１５ｂ】
2013500879.tif 000033
【図１５ｃ】
2013500879.tif 000034
【図１６ａ−１６ｄ】
2013500879.tif 000035
【図１７ａ−１７ｅ】
2013500879.tif 000036
【図１８ａ】
2013500879.tif 000037
【図１８ｂ】
2013500879.tif 000038
【図１９ａ】
2013500879.tif 000039
【図１９ｂ】
2013500879.tif 000040
【図１９ｃ】
2013500879.tif 000041
【図２０ａ】
2013500879.tif 000042
【図２０ｂ】
2013500879.tif 000043
【図２０ｃ】
2013500879.tif 000044
【図２０ｄ】
2013500879.tif 000045
【図２０ｅ】
2013500879.tif 000046
【図２０ｆ】
2013500879.tif 000047
【図２１ａ】
2013500879.tif 000048
【図２１ｂ】
2013500879.tif 000049
【図２２ａ】
2013500879.tif 000050
【図２２ｂ】
2013500879.tif 000051
【図２３ａ】
2013500879.tif 000052
【図２３ｂ】
2013500879.tif 000053
【国際調査報告】
2013500879.tif 000054
2013500879.tif 000055
2013500879.tif 000056
2013500879.tif 000057
2013500879.tif 000058